(57)【要約】【課題】双方向の信号伝送をするために、送信用と受信用にそれぞれ２本ずつ合計４本の信号線を必要としていたので、大規模な装置ではバックプレーンの配線ネックが発生するという課題があった。【解決手段】第１の信号送受信回路部ＤＳ３と第２の信号送受信回路部ＤＳ４とをバックプレーンＢＰ２に形成した２本の信号線で接続し、第１及び第２の信号送受信回路部ＤＳ３，ＤＳ４の信号送受信回路ＤＶ３，ＤＶ４と信号受信回路ＲＶ３，ＲＶ４とを切り替える第１及び第２のセレクタ回路ＳＥＬ１，ＳＥＬ２を設けて信号の伝送方向を切り替えるようにした。【選択図】図１
2006287328.tif 000002
【特許請求の範囲】
【請求項１】
信号送信回路と信号受信回路を有する第１の信号送受信回路部と、信号送信回路と信号受信回路を有する第２の信号送受信回路部とを、バックプレーンに形成された２本の信号線で接続した双方向信号伝送装置であって、
前記２本の信号線の一端と前記第１の信号送受信回路部に接続され、前記第１の信号送受信回路部の信号送信回路と信号受信回路とを切り替える第１のセレクタ回路と、前記２本の信号線の他端と前記第２の信号送受信回路部に接続され、前記第２の信号送受信回路部の信号送信回路と信号受信回路とを切り替える第２のセレクタ回路とを設け、
前記第１のセレクタ回路及び第２のセレクタ回路により信号の伝送方向を切り替えることを特徴とする双方向信号伝送装置。
【請求項２】
前記バックプレーンに第１の制御線と第２の制御線を形成し、前記第１の制御線と第１レベルの信号源との間に伝送方向切替スイッチを接続し、前記伝送方向切替スイッチにより前記第１のセレクタ回路及び第２のセレクタ回路を制御することを特徴とする請求項１記載の双方向信号伝送装置。
【請求項３】
前記第１のセレクタ回路は前記第１の制御線を通して送られる第１レベルの信号で切替動作をし、前記第２のセレクタ回路は前記第２の制御線を通して送られる前記第１レベルの信号を反転した第２レベルの信号で切替動作をすることを特徴とする請求項２記載の双方向信号伝送装置。
【発明の詳細な説明】
【技術分野】
【０００１】
本発明は、バックプレーン（配線盤）で接続された基盤間の伝送方式、特に双方向信号伝送装置に関するものである。
【背景技術】
【０００２】
従来、２本で一対の信号線に接続された信号伝送装置はよく知られている（例えば、特許文献１参照）。
【特許文献１】特開平０７−２３５９５２号公報
【０００３】
図２は従来の双方向信号伝送装置を示す図で、特許文献１の図８に記載された信号伝送回路２組で双方向の信号伝送を可能にした信号伝送装置に対応している。
図２に示した装置は、信号送受信回路部ＤＳ１が搭載されている基盤ＰＫＧ１と、信号送受信回路部ＤＳ２が搭載されている基盤ＰＫＧ２とをバックプレーンＢＰ１によって接続している。
基盤ＰＫＧ１とバックプレーンＢＰ１、バックプレーンＢＰ１と基盤ＰＫＧ２の接続は、それぞれに設けられたコネクタの挿抜によって実行される。
【０００４】
信号送信回路ＤＳ１は信号送信回路ＤＶ１と信号受信回路ＲＶ１を搭載し、信号送受信回路部ＤＳ２は信号送信回路部ＤＶ２と信号受信回路ＲＶ２を搭載している。
バックプレーンＢＰ１には、２本で一対に構成された信号線Ｔ１，Ｔ２及び２本の制御線Ｔ３，Ｔ４が配線されており、それらの両端はコネクタの端子に接続されている。
【０００５】
基盤ＰＫＧ１の信号伝送回路ＤＶ１はバックプレーンＢＰ１の信号線Ｔ１により基盤ＰＫＧ２の信号受信回路ＲＶ２に接続され、基盤ＰＫＧ１の信号受信回路ＲＶ１はバックプレーンＢＰ１の信号線Ｔ２により基盤ＰＫＧ２の信号送信回路ＤＶ２に接続されている。
信号送信回路ＤＶ１は相補出力端子を有し、それぞれの端子は抵抗Ｒ１１，Ｒ１２に接続され、更に端子ｂ１１，ｂ１２を通して信号線Ｔ１に接続されている。抵抗Ｒ１１，Ｒ１２間は抵抗Ｒ１３で接続され、従って、信号線Ｔ１間は抵抗Ｒ１３で接続されている。
一方、信号受信回路ＲＶ１は相補入力端子を有し、それぞれの端子は終端抵抗Ｒ１４により接続され、更に端子ｂ１１，ｂ１２を通して信号線Ｔ２に接続されている。従って、信号線Ｔ２間は終端抵抗Ｒ１４で接続されている。
【０００６】
信号送信回路ＤＶ２及び信号受信回路ＲＶ２も上記と同様に抵抗Ｒ２１〜Ｒ２３、終端抵抗Ｒ２４が接続されている。
また、信号受信回路ＲＶ１の制御入力端子には抵抗Ｒ１５を通した電源及び制御線Ｔ３の一端が接続され、信号受信回路ＲＶ２の制御入力端子には抵抗Ｒ２５を通した電源及び制御線Ｔ４の一端が接続されている。
なお、制御線線Ｔ３，Ｔ４の他端は接地に接続されている。
【０００７】
信号送受信回路部ＤＳ１から信号送受信回路部ＤＳ２への信号伝送について説明すると、入力端子ａ１に入力した信号は信号送信回路ＤＶ１を介して端子ｂ１１，ｂ１２に出力され、信号線Ｔ１により端子ｃ１１，ｃ１２に伝送され、信号受信回路ＲＶ２を介して出力端子ｄ１に出力される。
同様に、信号送受信回路部ＤＳ２から信号送受信回路部ＤＳ１への信号伝送は、入力端子ｄ２に入力した信号が信号線Ｔ２を伝送し、出力端子ａ２に出力される。
このようにしてバックプレーンＢＰ１の信号線Ｔ１，Ｔ２により双方向の信号伝送を実現している。
なお、信号線Ｔ３は、基盤ＰＫＧ２をバックプレーンＢ１から抜去した時に、外来からの雑音を防止するため基盤ＰＫＧ１の信号受信回路ＲＶ１の出力の信号レベルを固定し、これにより次段の入力回路の誤動作を防ぐものである。制御線Ｔ４は、基盤ＰＫＧ１を抜去した時に、外来雑音を防止するため基盤ＰＫＧ２の信号受信回路ＲＶ２の出力の信号レベルを固定し、これにより次段の入力回路の誤動作を防ぐものである。
【発明の開示】
【発明が解決しようとする課題】
【０００８】
しかしながら、従来の双方向の信号伝送装置は、双方向の信号伝送をするために、信号線が送信用２本と受信用２本で合計４本必要とし、大規模な装置では信号本数が４×ｍ（ｍは整数）倍に増大することになり、バックプレーンにおける配線が困難となる障害、いわゆる配線ネックが発生するという問題があった。
そのため、無理して信号線を収容するには極めて複雑な配線設計を要求され、また、上記されたｍの数が多大な場合には配線が全く不可能になることもある。
【課題を解決するための手段】
【０００９】
上記した課題を解決するため、本発明は第１の信号送受信回路部と第２の信号送受信回路部とをバックプレーンに形成された２本の信号線で接続し、第１及び第２の信号送受信回路部の信号送信回路と信号受信回路とを切り替えるセレクタ回路を設けて信号の伝送方向を切り替えるようにしたものである。
【発明の効果】
【００１０】
本発明によれば、２本の信号線を送信用及び受信用として共通化できるので、バックプレーンにおける信号線の配線量が半分になり、配線ネックを解消することができる。
【発明を実施するための最良の形態】
【００１１】
信号送信回路と信号受信回路を有する第１の信号送受信回路部と、信号送信回路と信号受信回路を有する第２の信号送受信回路部とを、バックプレーンに形成された２本の信号線で接続し、前記２本の信号線の一端と前記第１の信号送受信回路部に接続され、前記第１の信号送受信回路部の信号送信回路と信号受信回路とを切り替える第１のセレクタ回路と、前記２本の信号線の他端と前記第２の信号送受信回路部に接続され、前記第２の信号送受信回路部の信号送信回路と信号受信回路とを切り替える第２のセレクタ回路とを設け、前記バックプレーンに第１の制御線と第２の制御線を形成し、前記第１の制御線と第１レベルの信号源との間に伝送方向切替スイッチを接続し、前記伝送方向切替スイッチにより前記第１のセレクタ回路及び第２のセレクタ回路を制御して信号の伝送方向を切り替えることにより双方向信号伝送装置を実現した。
【実施例】
【００１２】
図１は本発明の実施例を示す図である。
実施例の双方向信号伝送装置は、第１の信号送受信回路部ＤＳ３及び第１のセレクタ回路ＳＥＬ１が搭載されている基盤ＰＫＧ３と、第２の信号送受信回路部ＤＳ４及び第２のセレクタ回路ＳＥＬ２が搭載されている基盤ＰＫＧ４とを、バックプレーンＢＰ２によって接続している。その接続は従来と同様にコネクタの挿抜によって実行される。
【００１３】
第１の信号送受信回路部ＤＳ３は信号送信回路ＤＶ３と信号受信回路ＲＶ３を搭載し、第２の信号送受信回路部ＤＳ４は信号送信回路ＤＶ４と信号受信回路ＲＶ４を搭載しており、基本的には従来と同様に構成されている。
バックプレーンＢＰ２には、２本で一対に構成された信号線Ｔ５及び２本の制御線Ｔ６，Ｔ７が配線されており、それらの両端はコネクタの端子に接続されている。
【００１４】
基盤ＰＫＧ３の信号受信回路ＤＶ３は、第１のセレクタ回路ＳＥＬ１、バックプレーンＢＰ２の信号線Ｔ５、第２のセレクタ回路ＳＥＬ２を通して基盤ＰＫＧ４の信号受信回路ＲＶ４に接続され、同様に基盤ＰＫＧ３の信号受信回路ＲＶ３は基盤ＰＫＧ４の信号送信回路ＤＶ４に接続される。
信号送受信回路ＤＶ３は、従来と同様に、相補出力端子を有し、それぞれの端子は抵抗Ｒ３１，Ｒ３２に接続され、更に抵抗Ｒ３１，Ｒ３２間は抵抗Ｒ３３で接続されており、信号受信回路ＲＶ３も従来と同様に相補入力端子を有し、それぞれの端子は終端抵抗Ｒ３４に接続されている。
【００１５】
信号送信回路ＤＶ４及び信号受信回路ＲＶ４も従来と同様に抵抗Ｒ４１〜Ｒ４３、終端抵抗Ｒ４４が接続されている。
また、信号受信回路ＲＶ３の制御入力端子には抵抗Ｒ３５を通した電源及び第１の制御線Ｔ６の一端が接続され、またインバータＩＮＶを介して第２の制御線Ｔ７の一端も接続されている。抵抗Ｒ３５の一端はインバータＩＮＶ及び第１のセレクタ回路ＳＥＬ１にも接続されている。
信号受信回路ＲＶ３の制御入力端子には抵抗Ｒ４５を通した電源及び第２の制御線７の他端が接続されている。抵抗Ｒ４５の一端は第２の制御線Ｔ７の他端及び第２のセレクタ回路ＳＥＬ２にも接続されている。
【００１６】
第１の制御線Ｔ６の他端と第１レベルの信号源である接地との間に伝送方向切替スイッチＳＷが接続されている。伝送方向切替スイッチＳＷは図示してない制御回路などによってオン・オフ制御され、スイッチのオン・オフによって第１のセレクタ回路ＳＥＬ１及び第２のセレクタ回路ＳＥＬ２の切替動作を制御して信号の伝送方向を切替える作用をする。
【００１７】
第１のセレクタ回路ＳＥＬ１、第２のセレクタ回路ＳＥＬ２はそれぞれ切替スイッチで構成され、第１のセレクタ回路ＳＥＬ１は接点端子ｔ１〜ｔ６を有し、第２のセレクタ回路ＳＥＬ２は接点端子ｔ７〜ｔ１２を有している。
第１のセレクタ回路ＳＥＬ１の端子ｔ３はコネクタの端子ｂ３１を介して一方の信号線Ｔ５と接続され、端子ｔ６はコネクタの端子ｂ３２を介して他方の信号線Ｔ５と接続されている。
また、端子ｔ３と接続される切替端子ｔ１は抵抗Ｒ３１の一端に、切替端子ｔ２は信号受信回路ＲＶ３の端子に接続されている。端子ｔ６と接続される切替端子ｔ４は抵抗Ｒ３２の一端に、切替端子ｔ５は信号受信回路ＲＶ３の相補入力端子に接続されている。
【００１８】
同様に、第２のセレクタ回路ＳＥＬ２の端子９はコネクタの端子ｃ３１を介して一方の信号線Ｔ５と接続され、端子ｔ１２はコネクタの端子ｃ３２を介して他方の信号線Ｔ５と接続されている。
また、端子ｔ９と接続される切替端子ｔ７は抵抗Ｒ４１の一端に、切替端子ｔ８は信号受信回路ＲＶ４の端子に接続されている。端子ｔ１２と接続される切替端子ｔ１０は抵抗Ｒ４２の一端に、切替端子ｔ１１は信号受信回路ＲＶ４の相補入力端子に接続されている。
なお、伝送方向切替スイッチＳＷ、第１のセレクタ回路ＳＥＬ１及び第２のセレクタ回路ＳＥＬ２は、電子回路、リレー回路等により容易に構成することができ、図１に示した状態が初期状態である。
【００１９】
次に動作について説明する。
図１に示した状態、即ち伝送方向切替スイッチＳＷが開放した状態が初期状態であり、第１のセレクタ回路ＳＥＬ１の端子ｔ１−ｔ３間及びｔ４−ｔ６間が閉塞状態、第２のセレクト回路ＳＥＬ２の端子ｔ９−ｔ８間及びｔ１２−ｔ１１が閉塞状態となっている。これにより信号の伝送方向が決められる。
この状態では、信号送受信回路部ＤＳ３から信号送受信回路部ＤＳ４への信号伝送が可能となる。
【００２０】
入力端子ａ３に入力した信号は、信号送信回路ＤＶ３、抵抗Ｒ３１，Ｒ３２、第１のセレクタ回路ＳＥＬ１の端子ｔ１−ｔ３間及び端子ｔ４−ｔ６間を通して端子ｂ３１，ｂ３２に出力され、信号線Ｔ５を通して端子ｃ３１，ｃ３２に伝送され、第２のセレクタ回路ＳＥＬ２の端子ｔ９−ｔ８間及び端子ｔ１２−ｔ１１間、信号受信回路ＲＶ４を通して出力端子ｄ３に出力される。
このようにして、基盤ＰＫＧ３に搭載されている信号送信回路ＤＶ３は、信号線Ｔ５を介して、基盤ＰＫＧ４に搭載されている信号受信回路ＲＶ４との間で信号伝送をすることができる。
【００２１】
信号送受信回路部ＤＳ４から信号送受信回路部ＤＳ３への信号伝送の場合は、図示してない制御回路により伝送方向切替スイッチＳＷをオンさせて閉塞状態にすると、接地の第１レベルの信号が伝送方向切替スイッチＳＷ、第１の制御線Ｔ６を通して第１のセレクタ回路ＳＥＬ１に供給され、またインバータＩＮＶを通して第１レベルの信号を反転した第２レベルの信号が第２の制御線Ｔ７を通して第２のセレクタ回路ＳＥＬ２に供給され、第１のセレクタ回路ＳＥＬ１及び第２のセレクタ回路ＳＥＬ２が切替動作をする。
第１のセレクタ回路ＳＥＬ１では、端子ｔ３−ｔ２間及び端子ｔ６−ｔ５間が閉塞状態、第２のセレクタ回路ＳＥＬ２の端子ｔ７−ｔ９間及び端子ｔ１０−ｔ１２間が閉塞状態状態となり、信号の伝送方向が切り替えられる。
【００２２】
入力端子ｄ４に入力した信号は、信号送信回路ＤＶ４、抵抗Ｒ４１，Ｒ４２、第２のセレクタ回路ＳＥＬ２の端子ｔ７−ｔ９間及び端子ｔ１０−ｔ１２間を通して端子ｃ３１，ｃ３２に出力され、信号線Ｔ５を通して端子ｂ３１，ｂ３２に伝送され、第１のセレクタ回路ＳＥＬ１の端子ｔ３−ｔ２間及び端子ｔ６−ｔ５間、信号受信回路ＲＶ３を通して出力端子ａ４に出力される。
このようにして、基盤ＰＫＧ４に搭載されている信号送信回路ＤＶ４は、信号線Ｔ５を介して、基盤ＰＫＧ３に搭載されている信号受信回路ＲＶ３との間で信号伝送をすることができる。
【００２３】
以上のように、伝送方向切替スイッチＳＷにより第１のセレクタ回路ＳＥＬ１及び第２のセレクタ回路ＳＥＬ２を制御することによって信号の伝送方向を切り替え、２本の信号線を送信用及び受信用に共通化して双方向の信号伝送を可能にした。
なお、図１の状態に復して信号送受信回路部ＤＳ３から信号送受信回路部ＤＳ４への信号伝送にする場合は、図示してない制御回路により伝送方向切替スイッチＳＷをオフさせて開放状態にすれば良く、そうすると抵抗Ｒ３５を通して電源の第２レベルの信号が第１のセレクタ回路ＳＥＬ１に供給され、第２レベルの信号を反転した第１レベルの信号が第２のセレクタ回路ＳＥＬ２に供給されて、第１のセレクタ回路ＳＥＬ１及び第２のセレクタ回路ＳＥＬ２が切替動作をして初期状態に復することにより実現できる。
【００２４】
また、雑音防止に関しては、基盤ＰＫＧ３をバックプレーンＢＰ２から抜去した時に、第２の制御線Ｔ７によって基盤ＰＫＧ４の信号受信回路ＲＶ４の出力の信号レベルを固定し、これにより次段の入力制御の誤動作を防ぎ、基盤ＰＫＧ４をバックプレーンＢＰ２から抜去した時に、第１の制御線Ｔ６によって基盤ＰＫＧ３の信号受信回路ＲＶ３の出力の信号レベルを固定し、これにより次段の入力回路の誤動作を防ぐことができる。
【産業上の利用可能性】
【００２５】
本発明は、交換装置、伝送装置、半導体集積回路間の高速な２値信号伝送を必要とするコンピュータのほか、さまざまな電子回路装置に広く適用することができる。
【図面の簡単な説明】
【００２６】
【図１】本発明の実施例を示す図である。
【図２】従来の双方向信号伝送装置を示す図である。
【符号の説明】
【００２７】
ＰＫＧ３，ＰＫＧ４        基盤
ＢＰ２                    バップレーン
ＤＳ３，ＤＳ４            信号送受信回路部
ＤＶ３，ＤＶ４            信号送信回路
ＲＶ３，ＲＶ４            信号受信回路
ＳＥＬ１，ＳＥＬ２        セレクタ回路
Ｔ５                      信号線
Ｔ６，Ｔ７                制御線
ＳＷ                      伝送方向切替スイッチ
ＩＮＶ                    インバータ
ｔ１〜ｔ１２              端子
Ｒ３１〜Ｒ３５            抵抗
Ｒ４１〜Ｒ４５            抵抗
【図１】
2006287328.tif 000003
【図２】
2006287328.tif 000004